(57)【要約】【課題】カバー側の突片部の保護ができながら、組み付け、分解を容易に行わせることを可能とするカバーのアシィ構造を提供する。【解決手段】記録再生用のディスク・アッセンブリ及び記録再生用のヘッド・サスペンション・アッセンブリを収容しベース側壁部５ａ、５ｂ、５ｃ、５ｄで形成された収容部９の開口側周囲部にシール面１１を周回状に備えたベース１にシール１５を介して取り付けられて収容部９を覆うと共に、ベース側壁部５ａ、５ｂに対向するカバー側壁部１７ａ、１７ｂが、ベース側壁部５ａ、５ｂの各係止凹部１３に係止される係合爪２５を備えたカバー３のアシィ構造であって、カバー側壁部１７ａ、１７ｂに、係合爪２５に関連してスリット２７を形成することで係合爪２５を含む可撓の係合片部２９を設け、係合片部２９は、カバー側壁部１７ａ、１７ｂの高さ内に存在することを特徴とする。【選択図】図１
2013254543.tif 000002
【特許請求の範囲】
【請求項１】
機能部品を収容しベース側壁部で形成された収容部の開口側周囲部にシール面を周回状に備えたベースにシールを介して取り付けられて前記収容部を覆うと共に、前記ベース側壁部に対向するカバー側壁部が、前記ベース側壁部の係止部に係止される係合部を備えたカバーのアシィ構造であって、
前記カバー側壁部に、前記係合部に関連してスリットを形成することで前記係合部を含む可撓の係合片部を設け、
前記係合片部は、前記カバー側壁部の高さ内に存在する、
ことを特徴とするカバーのアシィ構造。
【請求項２】
請求項1記載の係合部又は係止部であって、
前記スリットは、前記係合片部の両側で前記カバー側壁部の中間部に形成された、
ことを特徴とするカバーのアシィ構造。
【請求項３】
請求項1記載の係合部又は係止部であって、
前記スリットは、前記係合片部の両側で前記カバー側壁部の縁部に至っている、
ことを特徴とするカバーのアシィ構造。
【請求項４】
請求項１〜３の何れか１項記載のカバーのアシィ構造であって、
前記ベース及びカバーは、平面視で矩形形状であり、
前記カバー側壁部は、前記矩形形状の四辺に連続して周回状に備えられた、
ことを特徴とするカバーのアシィ構造。
【請求項５】
請求項１〜３の何れか１項記載のカバーのアシィ構造であって、
前記ベース及びカバーは、平面視で矩形形状であり、
前記カバー側壁部は、前記矩形形状の四辺に夫々独立して備えられた、
ことを特徴とするカバーのアシィ構造。
【請求項６】
請求項１〜５の何れか１項記載のカバーのアシィ構造であって、
前記機能部品を、記録再生用のディスク・アッセンブリ及び記録再生用のヘッド・サスペンション・アッセンブリとする、
ことを特徴とするカバーのアシィ構造。
【発明の詳細な説明】
【技術分野】
【０００１】
この発明は、ハード・ディスク・ドライブ等に供するカバーのアシィ構造に関する。
【背景技術】
【０００２】
従来、この種のカバーのアシィ構造として、特許文献１、２に記載されたものがある。特許文献1に記載のものは、カバーの側壁部から係合部としての舌片を側壁部の下縁部から突出させ、シャーシ（ベースとも言う。）にスナップ的に嵌合させたものである（前者）。
【０００３】
特許文献２に記載のものは、カバーの側壁部に係合部としての角孔を形成し、ベースの側壁部に設けた突部に嵌合させるようにしたものである（後者）。
【０００４】
したがって、何れの構造も、ねじを用いないため、組み立て、部品管理が容易となり、修理に際しての分解、再組み立ても容易に行わせることができる。
【０００５】
しかし、前者の構造は、舌片がカバーの側壁部の下縁部から突出するため、部品搬送時や組み付け時等に、舌片を容易に損傷させる恐れがある。
【０００６】
これに対し、後者の構造は、カバーに角孔を形成しているため、前者のような損傷を招くことはない。
【０００７】
しかし、角孔がカバーの側壁部の中間部に形成されているため、角孔周辺の剛性が高く、組み付けや、分解時に角孔の突部に対する脱着が容易ではなく、作業性が低下するという問題がある。
【先行技術文献】
【特許文献】
【０００８】
【特許文献１】特開平３−２２４１９１号公報
【特許文献２】特開平９−３２６１９２号公報
【発明の概要】
【発明が解決しようとする課題】
【０００９】
解決しようとする問題点は、係合部がカバーの側壁部の下縁部から突出する場合は、部品搬送時や組み付け時等に、係合部を容易に損傷させる恐れがあり、係合部がカバーの側壁部の中間部に形成されている場合は、係合部周辺の剛性が高く、組み付けや、分解時に係合部の着脱が容易ではなく、作業性が低下するという点である。
【課題を解決するための手段】
【００１０】
本発明は、カバー側の係合部の保護ができながら、組み付け、分解を容易に行わせることを可能とするため、機能部品を収容しベース側壁部で形成された収容部の開口側周縁部にシール面を周回状に備えたベースにシールを介して取り付けられて前記開口縁部を覆うと共に、前記ベース側壁部に対向するカバー側壁部が、前記ベース側壁部の係止部に係止されて係合部を備えたカバーのアシィ構造であって、前記カバー側壁部に、前記係合部に関連してスリットを形成することで前記係合部を含む可撓の係合片部を設け、前記係合片部は、前記カバー側壁部の高さ内に存在することを特徴とする。
【発明の効果】
【００１１】
本発明のカバーのアシィ構造は、上記構成であるため、可撓の係合片部により係合部及び係止部間のスナップ的な係脱により、ねじを用いなくても確実且つ容易な取り付け、取り外しを可能とし、組み付け、分解修理等の作業性を向上させることができる。
【００１２】
また、係合片部は、カバー側壁部の高さ内に存在することから、係合片部の他部材への不用意な干渉が抑制され、損傷を抑制することができる。
【図面の簡単な説明】
【００１３】
【図１】カバーをベースに取り付けた平面図である。（実施例１）
【図２】カバーをベースに取り付けた側面図である。（実施例１）
【図３】カバーを取り外したベース側の平面図である。（実施例1）
【図４】カバーの平面図である。（実施例１）
【図５】カバーの要部拡大平面図である。（実施例１）
【図６】図５のＶＩ−ＶＩ線矢視における要部拡大断面図である。（実施例１）
【図７】カバーの係合を示す断面図である。（実施例１）
【図８】カバーの側壁部を示す要部拡大正面図である。（実施例１）
【図９】カバーの係合を示す断面図である。（実施例２）
【図１０】カバーの側壁部を示す要部拡大正面図である。（実施例２）
【図１１】カバーの係合を示す断面図である。（実施例３）
【図１２】カバーの側壁部を示す要部拡大正面図である。（実施例３）
【図１３】カバーをベースに取り付けた平面図である。（実施例４）
【図１４】カバーの平面図である。（実施例４）
【図１５】カバーの要部拡大平面図である。（実施例４）
【図１６】図１５のＸＶＩ−ＸＶＩ線矢視における要部拡大断面図である。（実施例１）
【発明を実施するための形態】
【００１４】
カバー側の突片部の保護ができながら、組み付け、分解を容易に行わせることを可能とするという目的を、機能部品を収容しベース側壁部で形成された収容部の開口側周囲部にシール面を周回状に備えたベースにシールを介して取り付けられて前記収容部を覆うと共に、前記ベース側壁部に対向するカバー側壁部が、前記ベース側壁部の係止部に係止されて係合部を備えたカバーのアシィ構造であって、前記カバー側壁部に、前記係合部に関連してスリットを形成することで前記係合部を含む可撓の係合片部を設け、前記係合片部は、前記カバー側壁部の高さ内に存在することにより実現した。
【実施例１】
【００１５】
図１は、カバーをベースに取り付けた平面図、図２は、カバーをベースに取り付けた側面図、図３は、カバーを取り外したベース側の平面図、図４は、カバーの平面図、図５は、カバーの要部拡大平面図、図６は、図５のＶＩ−ＶＩ線矢視における要部拡大断面図、図７は、カバーの係合を示す断面図、図８は、カバーの側壁部を示す要部拡大正面図である。なお、以下の説明において、上下、高さとは、ハード・ディスク・ドライブの回転軸方向での上下、高さを意味する。
【００１６】
図1~図４のように、本発明実施例のカバーのアシィ構造は、ステンレス製のベース１にステンレス製のカバー３を着脱可能に取り付けるためのものである。なお、ベース１及びカバー３の材質は特に限定されるものではない。
【００１７】
ベース１は、機能部品として記録再生用のディスク・アッセンブリＤＡ及び記録再生用のヘッド・サスペンション・アッセンブリＨＡを収容し、ベース１にカバー３を取り付けることで、ハード・ディスク・ドライブＨＤＤを構成する。
【００１８】
ベース１は、図３のように平面視で矩形形状であり、四辺にベース側壁部５ａ、５ｂ、５ｃ、５ｄが周回状に連続して形成されている。ベース側壁部５ａ、５ｂ、５ｃ、５ｄで形成される収容部９の開口側周囲部に沿ってシール面１１が周回状に備えられている。
【００１９】
長辺のベース側壁部５ａ、５ｂには、中央及び両端側に係止部として係止凹部１３が各壁３箇所に形成されている。
【００２０】
カバー３は、ベース１に応じて図４のように平面視で矩形形状に形成され、図５、図６で示すシール１５を介して取り付けられ、ベース１の収容部９を覆っている。カバー３は、ベース側壁部５ａ、５ｂ、５ｃ、５ｄに対向するカバー側壁部１７ａ、１７ｂ、１７ｃ、１７ｄを天板部２１の周縁に連続して周回状に備えている。この場合、カバー側壁部１７ａ、１７ｂ、１７ｃ、１７ｄは、絞り成形により形成される。
【００２１】
図１、図４のように、カバー３の天板部２１には、ディスク・アッセンブリ側に、凹凸部を構成する凹面部２１ａ、２１ｂが形成され、周縁部に、シール取り付け用の段付き部２１ｃが形成されている。凹面部２１ａ、２１ｂは、ディスク・アッセンブリためのものであるが、天板部２１の剛性向上により、後述するカバー３取付時の変形を防止することにより、係合 部 爪 の位置精度の向上にも寄与する。また、段付き部２１ｃによっても天板部２１全体の剛性向上を図り、同様の効果を図る。
【００２２】
前記シール１５は、前記段付き部２１ｃに接着剤等による貼付けもしくはＦＩＰＧの塗布等により予め取り付けられ、一体的となっている。但し、シール１５をカバー３に対して別体として取り扱うこともできる。
【００２３】
長辺のカバー側壁部１７ａ、１７ｂには、中央及び両端側に係合部として係合爪２５が各壁３箇所に切り起こして形成され、ベース側壁部５ａ、５ｂの各係止凹部１３に対応している。
【００２４】
各係合爪２５に対応して天板部２１の周縁部には、局部的な陥没部２１ｄがそれぞれ形成され、各係合爪２５を備えた後述する各係合片部に対応して天板部２１の剛性をさらに向上させている。
【００２５】
カバー側壁部１７ａ、１７ｂには、各係合爪２５に関連してスリット２７が形成されている。スリット２７は、係合爪２５の両側に形成され、スリット２７間で係合爪２５を含む可撓の係合片部２９が設けられている。スリット２７は、カバー側壁部１７ａ、１７ｂの上下中間部に形成され、係合片部２９がカバー側壁部１７ａ、１７ｂの高さ内に存在する。係合片部２９によって係合爪２５に可撓性が付与されている。
【００２６】
図７のように、カバー側壁部１７ａ、１７ｂ、１７ｃ、１７ｄの下縁部には、係合片部２９を含めて内側にアール部３１が形成されている。
【００２７】
カバー３の取り付けは、まずシール１５を取り付けたカバー３をベース１の収容部９上に対向させ、カバー３のカバー側壁部１７ａ、１７ｂ、１７ｃ、１７ｄをベース１のベース側壁部５ａ、５ｂ、５ｃ、５ｄに嵌合させる。このとき、アール部３１が嵌合のガイドとなる。
【００２８】
この状態で、カバー３及びベース１間に嵌合方向への押圧力を与えると、スリット２７により分割されるカバー３の各係合片部２９の撓みにより各係合爪２５がベース１のベース側壁部５ａ、５ｂの縁部をスムーズに乗り越え、各係止凹部１３へ図６、図7のように係止される。
【００２９】
この時、前述するカバー３の天板部２１の剛性向上と側壁部１７ａ、１７ｂからのスロット２７による係合片部２９の分割により、取付時にカバー３が大きく変形することがなく、係合部の位置ズレを防止する。
【００３０】
このカバー３の取り付け状態では、シール１５が若干撓んで弾発力を発生し、各係合爪２５を各係止凹部１３へ確実に係止させることができる。
［実施例１の作用効果］
本発明の実施例は、記録再生用のディスク・アッセンブリＤＡ及び記録再生用のヘッド・サスペンション・アッセンブリＨＡを収容しベース側壁部５ａ、５ｂ、５ｃ、５ｄで形成された収容部９の開口側周囲部にシール面１１を周回状に備えたベース１にシール１５を介して取り付けられて収容部９を覆うと共に、ベース側壁部５ａ、５ｂに対向するカバー側壁部１７ａ、１７ｂが、ベース側壁部５ａ、５ｂの各係止凹部１３に係止される係合爪２５を備えたカバー３のアシィ構造であって、カバー側壁部１７ａ、１７ｂに、係合爪２５に関連してスリット２７を形成することで係合爪２５を含む可撓の係合片部２９を設け、係合片部２９は、カバー側壁部１７ａ、１７ｂの高さ内に存在する。
【００３１】
このため、可撓の係合片部２９により係合爪２５及び係止凹部１３間のスナップ的な係脱により、ねじを用いなくても確実且つ容易な取り付け、取り外しを可能とし、組み付け、分解修理等の作業性を向上させることができる。
【００３２】
また、係合片部２９は、カバー側壁部１７ａ、１７ｂの高さ内に存在することから、係合片部２９の他部材への不用意な干渉が抑制され、損傷を抑制することができる。このため、組付け後の係止凹部１３による係合爪２５の係止を確実に行わせることができる。
【００３３】
しかも、カバー３をベース１の収容部９に沿ってスライドさせ取り付けるものではないため、カバー３に予め取り付けたシール１５の剥がれも抑制することができる。
【００３４】
ベース１及びカバー３は、平面視で矩形形状であり、カバー側壁部１７ａ、１７ｂ、１７ｃ、１７ｄは、矩形形状の四辺に連続して周回状に備えられた。
【００３５】
このため、カバー３の周縁部の剛性が向上し、カバー3の取付時に係合片部２９がカバー側壁部１７ａ、１７ｂの面外方向へ変位することが抑制され、係合部の位置ズレを防止する。これにより、可撓の係合片部２９により係合爪２５及び係止凹部１３間のスナップ的な係脱を容易としながら、カバー３取り付け後の確実な固定を行わせることができる。
【００３６】
カバー３に、記録再生用のディスク・アッセンブリのための凹凸部として凹面部２１ａ、２１ｂを備えることにより、天板部２１の剛性向上を図り、カバー3の取付時の大きな変形を防止し、係合部の位置ズレを防止する。
【００３７】
カバー３の周縁部に、シール１５取り付け用の段付き部２１ｃを備えた。
【００３８】
このため、シール１５を接着等により予め取り付けるときに、段付き部２１ｃを目印に容易に取り付けることができる。しかも、段付き部２１ｃにより、天板部２１全体の剛性向上を図り、カバー3の取付時の大きな変形を防止し、係合部の位置ズレを防止する。
【００３９】
カバー３の周縁部に、係合片部２９に対応する局部的な陥没部２１ｄを備えた。
【００４０】
このため、カバー３をベース１へ取り付けるとき、陥没部２１ｄが係合爪２５及び係止凹部１３の位置合わせの目安となり、カバー３の取り付けを容易に行わせることができる。しかも、陥没部２１ｄにより、各係合爪２５を備えた各係合片部２９に対応して天板部２１の剛性を向上させ、カバー3の取付時の大きな変形を防止し、係合部の位置ズレを防止する。
【実施例２】
【００４１】
図９、図１０は、本発明の実施例２に係り、図９は、カバーの係合を示す断面図、図１０は、カバーの側壁部を示す要部拡大正面図である。なお、基本的な構成は実施例１と同様であり、同一構成部分には同符号を付し、対応する構成部分には、同符号にＡを付し、重複した説明は省略する。
【００４２】
図９、図１０のように、本発明実施例のカバーのアシィ構造は、カバー３Ａの係合爪２５Ａを、実施例１のような切り起こしではなく、係合片部２９Ａ先端部の折り曲げにより形成した。係合爪２５Ａは、係合面２５Ａａ及び傾斜面２５Ａｂを備えている。係合面２５Ａａは、ベース１Ａの係止凹部１３Ａの係止面１３Ａａに係止される。傾斜面２５Ａｂは、係合爪２５Ａのスナップ的な係合時のガイドとなる。
【００４３】
スリット２７Ａは、係合片部２９Ａの両側でカバー側壁部１７Ａａ（１７Ａｂ）の下縁部１７Ａａａ（１７Ａｂａ）に至っている。係合片部２９Ａの下端縁２９Ａａは、カバー側壁部１７Ａａ（１７Ａｂ）から突出してはいない。なお、係合片部２９Ａの下端縁２９Ａａは、カバー側壁部１７Ａａ（１７Ａｂ）の下縁部１７Ａａａ（１７Ａｂａ）から退避させ、若干短く形成することもできる。
【００４４】
カバー３Ａにおいても、図示はしないが、実施例１と同様な凹面部、段付き部、及び局部的な陥没部を備えている。
【００４５】
したがって、本実施例においても、実施例１同様な作用効果を奏することができる。
【００４６】
また、本実施例では、スリット２７Ａが、係合片部２９Ａの両側でカバー側壁部１７Ａａ（１７Ａｂ）の下縁部１７Ａａａ（１７Ａｂａ）に至っているので、係合爪２５Ａの係止凹部１３Ａに対するスナップ的な係脱を容易とする。しかも、係合片部２９Ａの下端縁２９Ａａは、カバー側壁部１７Ａａ（１７Ａｂ）の下縁部１７Ａａａ（１７Ａｂａ）からは突出していないため、係合片部２９Ａの下端縁２９Ａａ等の保護を図ることもできる。
【実施例３】
【００４７】
図１１、図１２は、本発明の実施例３に係り、図１１は、カバーの係合を示す断面図、図１２は、カバーの側壁部を示す要部拡大正面図である。なお、基本的な構成は実施例２と同様であり、同一構成部分には同符号を付し、対応する構成部分には、同符号のＡをＢに代えて付し、重複した説明は省略する。
【００４８】
図１１、図１２のように、本発明実施例のカバーのアシィ構造は、実施例２の係合爪２５Ａに代えて係合片部２９Ｂに係合孔２５Ｂを形成した。係合孔２５Ｂは、ベース１Ｂの係止突部１３Ｂに係止される。
【００４９】
したがって、本実施例においても、実施例１及び２と同様な作用効果を奏することができる。
【実施例４】
【００５０】
図１３〜図１５は、本発明の実施例４に係り、図１３は、カバーをベースに取り付けた平面図、図１４は、カバーの平面図、図１５は、カバーの要部拡大平面図、図１６は、図１５のＸＶＩ−ＸＶＩ線矢視における要部拡大断面図である。なお、基本的な構成は実施例１と同様であり、同一構成部分には同符号を付し、対応する構成部分には、同符号にＣを付し、重複した説明は省略する。
【００５１】
図１３〜図１５のように、本発明実施例のカバーのアシィ構造は、実施例１の構造に対し、カバー側壁部１７Ｃａ、１７Ｃｂ、１７Ｃｃ、１７Ｃｄが、矩形形状のカバー３Ｃの四辺に夫々独立して備えられた。カバー側壁部１７Ｃａ、１７Ｃｂ、１７Ｃｃ、１７Ｃｄ間は、矩形形状のカバー３Ｃのコーナー部でカットされ隙間３Ｃａが形成されている。
【００５２】
したがって、本実施例においても、実施例１と同様な作用効果を奏することができる。
【００５３】
また、本実施例では、カバー側壁部１７Ｃａ、１７Ｃｂを折り曲げ成形により、係合片部２９Ｃを形成した後に形成することができる。このため、絞り成形に比較して、係合爪２５Ｃの高さ方向の位置精度を出し易く、係止凹部１３に対するより確実な係合を行わせることができる。
［その他］
係合爪２５及び係止凹部１３の係脱構造は、短辺のカバー側壁部１７ｃ、１７ｄ、１７Ｃｃ、１７Ｃｄ及びベース側壁部５ｃ、５ｄ間に形成し、さらには、長辺、短辺の双方に形成することもできる。ベース１及びカバー３等の組み合わせは、平面視でその形状は問わず、円形形状等、任意の形状を採ることができる。
【００５４】
ベース１等の収容部９に収容させる機能部品としては、ディスク・アッセンブリＤＡ等以外の他の機能部品を適用し、収容させる構造にすることもできる。
【符号の説明】
【００５５】
１、１Ａ、１Ｂ  ベース
３、３Ａ、３Ｂ、３Ｃ  カバー
５ａ、５ｂ、５ｃ、５ｄ  ベース側壁部
９  収容部
１１  シール面
１３、１３Ａ  係止凹部（係止部）
１３Ｂ  係止突部（係止部）
１５  シール
１７ａ、１７ｂ、１７ｄ、１７ｄ、１７Ａａ、１７Ａｂ、１７Ｂａ、１７Ｂｂ、１７Ｃａ、１７Ｃｂ、１７Ｃｃ、１７Ｃｄ  カバー側壁部
２１ａ、２１ｂ  凹面部（凹凸部）
２１ｃ  段付き部
２１ｄ  陥没部
２５、２５Ａ、２５Ｃ  係合爪（係合部）
２５Ｂ  係合孔（係合部）
２７、２７Ａ、２７Ｂ  スリット
２９、２９Ａ、２９Ｂ、２９Ｃ  係合片部
ＤＡ  ディスク・アッセンブリ
ＨＡ  ヘッド・サスペンション・アッセンブリ
ＨＤＤ  ハード・ディスク・ドライブ
【図１】
2013254543.tif 000003
【図２】
2013254543.tif 000004
【図３】
2013254543.tif 000005
【図４】
2013254543.tif 000006
【図５】
2013254543.tif 000007
【図６】
2013254543.tif 000008
【図７】
2013254543.tif 000009
【図８】
2013254543.tif 000010
【図９】
2013254543.tif 000011
【図１０】
2013254543.tif 000012
【図１１】
2013254543.tif 000013
【図１２】
2013254543.tif 000014
【図１３】
2013254543.tif 000015
【図１４】
2013254543.tif 000016
【図１５】
2013254543.tif 000017
【図１６】
2013254543.tif 000018